【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】情報記録装置及び画像記録装置
【手続補正２】
【補正対象書類名】明細書
【補正対象項目名】特許請求の範囲
【補正方法】変更
【補正の内容】
【特許請求の範囲】
【請求項１】  記録ヘッドにより記録媒体に情報記録する情報記録装置であって、
上記記録媒体に記録する情報を取得する情報取得手段と、
上記記録ヘッドを駆動する第１の駆動手段と、
上記記録ヘッドが上記情報を記録するように上記記録媒体を駆動する第２の駆動手段と、
上記情報取得手段で得られた情報を外部出力する出力手段と、
ユーザの操作に応じて上記記録媒体への記録動作を中断した際に、上記第１の駆動手段並びに上記第２の駆動手段を停止させ、上記出力手段を継続して動作させるよう制御する制御手段とを備えることを特徴とする情報記録装置。
【請求項２】  記録ヘッドにより記録媒体に情報記録する情報記録装置であって、
上記記録媒体に記録する情報を取得する情報取得手段と、
上記記録ヘッドを駆動する第１の駆動手段と、
上記記録ヘッドが上記情報を記録するように上記記録媒体を駆動する第２の駆動手段と、
上記情報取得手段で得られた情報を外部出力する出力手段と、
所定の動作モードの場合に、上記出力手段に対する他の装置或いはシステムの接続状態に基づいて、上記第１の駆動手段並びに上記第２の駆動手段を停止させ、上記出力手段を継続して動作させるよう制御する制御手段とを備えることを特徴とする情報記録装置。
【請求項３】  上記の記録動作を中断した際とは、記録を一時的に停止状態とする記録一時停止モードを含み、
上記制御手段は、上記記録一時停止モードの場合に、上記第１の駆動手段並びに上記第２の駆動手段を停止させ、上記出力手段を継続して動作させることを特徴とする請求項１に記載の情報記録装置。
【請求項４】  上記所定の動作モードは、記録を一時的に停止状態とする記録一時停止モードを含み、
上記制御手段は、上記記録一時停止モードの場合に、上記第１の駆動手段並びに上記第２の駆動手段を停止させ、上記出力手段を継続して動作させることを特徴とする請求項２に記載の情報記録装置。
【請求項５】  上記制御手段は、上記所定のモードにおいて、上記出力手段に他の装置或いはシステムが接続されていた場合には上記出力手段による上記情報の出力動作を継続させ、上記出力手段に接続されている装置或いはシステムが無かった場合には上記情報の出力動作を停止させることを特徴とする請求項２に記載の情報記録装置。
【請求項６】  上記制御手段は、上記第１の駆動手段並びに上記第２の駆動手段を停止させた際に、上記第１の駆動手段及び／又は上記第２の駆動手段を記録の為の位置から待機の為の位置に移動させることを特徴とする請求項１又は２に記載の情報記録装置。
【請求項７】  上記制御手段は、動作の命令を操作ボタンから受け付け可能であることを特徴とする請求項１又は２に記載の情報記録装置。
【請求項８】  上記制御手段は、制御の実行開始までをカウントするタイマーを備えたことを特徴とする請求項１又は２に記載の情報記録装置。
【請求項９】  上記制御手段は、上記第１の駆動手段並びに上記第２の駆動手段を停止状態とし、且つ上記出力手段を継続して動作状態とする第１の制御または電源ＯＦＦ状態とする第２の制御の何れかの制御を実行することを特徴とする請求項１又は２に記載の情報記録装置。
【請求項１０】  上記制御手段での制御に関する情報を表示する表示手段を備えることを特徴とする請求項１又は２に記載の情報記録装置。
【請求項１１】  記録ヘッドにより記録媒体に画像記録する画像記録装置であって、
画像の信号処理を行う画像処理手段と、
上記記録ヘッドを駆動する第１の駆動手段と、
上記記録ヘッドが上記画像処理手段から得た画像信号を所定位置に記録するように上記記録媒体を駆動する第２の駆動手段と、
上記画像処理手段から得た画像信号を外部出力する出力手段と、
ユーザの操作に応じて上記記録媒体への記録動作を中断した際に、上記第１の駆動手段並びに上記第２の駆動手段を停止させ、上記画像処理手段並びに上記出力手段を継続して動作させるよう制御する制御手段とを備えることを特徴とする画像記録装置。
【請求項１２】  記録ヘッドにより記録媒体に画像記録する画像記録装置であって、
画像の信号処理を行う画像処理手段と、
上記記録ヘッドを駆動する第１の駆動手段と、
上記記録ヘッドが上記画像処理手段から得た画像信号を所定位置に記録するように上記記録媒体を駆動する第２の駆動手段と、
上記画像処理手段から得た画像信号を外部出力する出力手段と、
所定の動作モードの場合に、上記出力手段に対する他の装置或いはシステムの接続状態に基づいて、上記第１の駆動手段並びに上記第２の駆動手段を停止させ、上記画像処理手段並びに上記出力手段を継続して動作させるよう制御する制御手段とを備えることを特徴とする画像記録装置。
【請求項１３】  上記の記録動作を中断した際とは、記録を一時的に停止状態とする記録一時停止モードを含み、
上記制御手段は、上記記録一時停止モードの場合に、上記第１の駆動手段並びに上記第２の駆動手段を停止させ、上記画像処理手段並びに上記出力手段を継続して動作させることを特徴とする請求項１１に記載の画像記録装置。
【請求項１４】  上記所定の動作モードは、記録を一時的に停止状態とする記録一時停止モードを含み、
上記制御手段は、上記記録一時停止モードの場合に、上記第１の駆動手段並びに上記第２の駆動手段を停止させ、上記画像処理手段並びに上記出力手段を継続して動作させることを特徴とする請求項１２に記載の画像記録装置。
【請求項１５】  上記制御手段は、上記所定のモードにおいて、上記出力手段に他の装置或いはシステムが接続されていた場合には上記出力手段による上記画像信号の出力動作を継続させ、上記出力手段に接続されている装置或いはシステムが無かった場合には上記画像信号の出力動作を停止させることを特徴とする請求項１２に記載の画像記録装置。
【請求項１６】  上記制御手段は、上記第１の駆動手段並びに上記第２の駆動手段を停止させた際に、上記第１の駆動手段及び／又は上記第２の駆動手段を記録の為の位置から待機の為の位置に移動させることを特徴とする請求項１１又は１２に記載の画像記録装置。
【請求項１７】  上記制御手段は、動作の命令を操作ボタンから受け付け可能であることを特徴とする請求項１１又は１２に記載の画像記録装置。
【請求項１８】  上記制御手段は、制御の実行開始までをカウントするタイマーを備えたことを特徴とする請求項１１又は１２に記載の画像記録装置。
【請求項１９】  上記制御手段は、上記第１の駆動手段並びに上記第２の駆動手段を停止状態とし、且つ上記画像処理手段並びに上記出力手段を継続して動作状態とする第１の制御または電源ＯＦＦ状態とする第２の制御の何れかの制御を実行することを特徴とする請求項１１又は１２に記載の画像記録装置。
【請求項２０】  上記制御手段での制御に関する情報を表示する表示手段を備えることを特徴とする請求項１１又は１２に記載の画像記録装置。
【請求項２１】  上記画像を撮像する為の撮像手段を有し、
上記制御手段は、上記所定の動作モードの場合に、上記画像処理手段並びに上記出力手段と同様に上記撮像手段を継続して動作させるよう制御することを特徴とする請求項１１又は１２に記載の画像記録装置。
【請求項２２】  上記記録媒体は磁気テープであり、上記第２の駆動手段にリールモータを含むことを特徴とする請求項１６に記載の画像記録装置。
【請求項２３】  上記記録媒体はディスク状記録媒体であり、上記第１の駆動手段はアクチュエータを含むことを特徴とする請求項１６に記載の画像記録装置。
【請求項２４】  入力された画像信号を記録媒体上の所望の位置に記録する画像記録装置であって、
上記記録媒体及び記録ヘッドを駆動する駆動手段と、
上記画像信号に所定の信号処理を施して上記記録ヘッドへと供給することによって記録動作を行なう記録手段と、
上記画像信号を外部へと出力する出力手段と、
上記記録手段による記録動作を中断した際、上記駆動手段の動作を停止するとともに、上記出力手段に対する他の装置或いはシステムの接続状態に応じて、上記出力手段による上記画像信号の出力動作を制御する制御手段とを備えたことを特徴とする画像記録装置。
【請求項２５】  上記制御手段は、上記記録手段による記録動作を中断した際、上記出力手段に他の装置或いはシステムが接続されていた場合には上記出力手段による上記画像信号の出力動作を継続させ、上記出力手段に接続されている装置或いはシステムが無かった場合には上記画像信号の出力動作を停止させることを特徴とする請求項２４に記載の画像記録装置。
【請求項２６】  上記記録媒体はテープ状記録媒体で、上記記録ヘッドは回転ヘッドであり、上記駆動手段は、上記テープ状記録媒体を走行させながら、上記回転ヘッドを駆動して記録動作を行なうように構成されていることを特徴とする請求項２４に記載の画像記録装置。
【請求項２７】  上記出力手段に接続されている上記他の装置或いはシステムとは、上記画像信号が表わす画像を表示するモニタを含むことを特徴とする請求項２４に記載の画像記録装置。
【手続補正３】
【補正対象書類名】明細書
【補正対象項目名】０００１
【補正方法】変更
【補正の内容】
【０００１】
【発明の属する技術分野】
本発明は、例えば、記録モードや記録一時停止モード等の動作モードで動作するカメラ一体型記録装置に用いられる、情報記録装置及び画像記録装置に関するものである。
【手続補正４】
【補正対象書類名】明細書
【補正対象項目名】００２５
【補正方法】変更
【補正の内容】
【００２５】
そこで、本発明は、上記の欠点を除去するために成されたもので、家庭用としても業務用としても不都合なく情報記録動作を行える、情報記録装置及び画像記録装置を提供することを目的とする。
【手続補正５】
【補正対象書類名】明細書
【補正対象項目名】００２６
【補正方法】変更
【補正の内容】
【００２６】
【課題を解決するための手段】
斯かる目的下において、本発明の情報記録装置は、記録ヘッドにより記録媒体に情報記録する情報記録装置であって、上記記録媒体に記録する情報を取得する情報取得手段と、上記記録ヘッドを駆動する第１の駆動手段と、上記記録ヘッドが上記情報を記録するように上記記録媒体を駆動する第２の駆動手段と、上記情報取得手段で得られた情報を外部出力する出力手段と、ユーザの操作に応じて上記記録媒体への記録動作を中断した際に、上記第１の駆動手段並びに上記第２の駆動手段を停止させ、上記出力手段を継続して動作させるよう制御する制御手段とを備えることを特徴とする。
また、本発明の情報記録装置は、記録ヘッドにより記録媒体に情報記録する情報記録装置であって、上記記録媒体に記録する情報を取得する情報取得手段と、上記記録ヘッドを駆動する第１の駆動手段と、上記記録ヘッドが上記情報を記録するように上記記録媒体を駆動する第２の駆動手段と、上記情報取得手段で得られた情報を外部出力する出力手段と、所定の動作モードの場合に、上記出力手段に対する他の装置或いはシステムの接続状態に基づいて、上記第１の駆動手段並びに上記第２の駆動手段を停止させ、上記出力手段を継続して動作させるよう制御する制御手段とを備えることを特徴とする。
【手続補正６】
【補正対象書類名】明細書
【補正対象項目名】００２７
【補正方法】変更
【補正の内容】
【００２７】
斯かる目的下において、本発明の画像記録装置は、記録ヘッドにより記録媒体に画像記録する画像記録装置であって、画像の信号処理を行う画像処理手段と、上記記録ヘッドを駆動する第１の駆動手段と、上記記録ヘッドが上記画像処理手段から得た画像信号を所定位置に記録するように上記記録媒体を駆動する第２の駆動手段と、上記画像処理手段から得た画像信号を外部出力する出力手段と、ユーザの操作に応じて上記記録媒体への記録動作を中断した際に、上記第１の駆動手段並びに上記第２の駆動手段を停止させ、上記画像処理手段並びに上記出力手段を継続して動作させるよう制御する制御手段とを備えることを特徴とする。
また、本発明の画像記録装置は、記録ヘッドにより記録媒体に画像記録する画像記録装置であって、画像の信号処理を行う画像処理手段と、上記記録ヘッドを駆動する第１の駆動手段と、上記記録ヘッドが上記画像処理手段から得た画像信号を所定位置に記録するように上記記録媒体を駆動する第２の駆動手段と、上記画像処理手段から得た画像信号を外部出力する出力手段と、所定の動作モードの場合に、上記出力手段に対する他の装置或いはシステムの接続状態に基づいて、上記第１の駆動手段並びに上記第２の駆動手段を停止させ、上記画像処理手段並びに上記出力手段を継続して動作させるよう制御する制御手段とを備えることを特徴とする。
また、本発明の画像記録装置は、入力された画像信号を記録媒体上の所望の位置に記録する画像記録装置であって、上記記録媒体及び記録ヘッドを駆動する駆動手段と、上記画像信号に所定の信号処理を施して上記記録ヘッドへと供給することによって記録動作を行なう記録手段と、上記画像信号を外部へと出力する出力手段と、上記記録手段による記録動作を中断した際、上記駆動手段の動作を停止するとともに、上記出力手段に対する他の装置或いはシステムの接続状態に応じて、上記出力手段による上記画像信号の出力動作を制御する制御手段とを備えたことを特徴とする。
【手続補正７】
【補正対象書類名】明細書
【補正対象項目名】００２８
【補正方法】削除
【補正の内容】